(57)【要約】【課題】タッチパネル搭載の表示画面に表示される操作画面が切り替わったとしても、画像形成装置に対して画像形成動作の開始及び中止させる指示を行う仮想キーは常に同じ位置に表示されることにより、使い勝手の良い画像形成装置等を提供すること。【解決手段】利用者からの操作を受け付ける仮想キーを含む操作画面を切り替えて表示し、操作画面に表示された仮想キーの位置をタッチしたことを検出した場合に、タッチした位置の仮想キーの操作入力を受け付ける。この仮想キーのうち、少なくとも画像形成動作の開始の指示を利用者から受け付ける開始キー及び画像形成の中止の指示を利用者から受け付ける中止キーを、表示部の同じ領域に表示する。【選択図】図４
2012042828.tif 000002
【特許請求の範囲】
【請求項１】
利用者に対する操作画面を表示するための表示部と、タッチパネルによりタッチ位置を検出する位置検出部と、を有する操作パネルを備えている画像形成装置において、
利用者からの操作を受け付ける仮想キーを含む操作画面を切り替えて表示する制御を行う操作画面表示制御部と、
前記操作画面に表示された仮想キーの位置をタッチしたことを前記位置検出部で検出した場合に、当該タッチした位置の仮想キーの操作入力を受け付ける操作入力部と、
を備え、
前記操作画面表示制御部は、仮想キーのうち少なくとも画像形成動作の開始の指示を利用者から受け付ける開始キー及び画像形成動作の中止の指示を利用者から受け付ける中止キーを、前記表示部の同じ領域に表示することを特徴とする画像形成装置。
【請求項２】
前記操作画面表示制御部は、前記画像形成動作の開始前と、終了後とで異なる操作画面を表示する場合であっても、前記開始キー及び中止キーは、前記表示部の同じ領域に表示することを特徴とする請求項１に記載の画像形成装置。
【請求項３】
前記仮想キーに対応する操作が可能であるか不可能であるかを記憶する記憶部を更に有し、
前記操作画面表示制御部は、前記開始キー又は中止キーに対応する操作が不可能の場合には、識別表示した状態で前記表示部の同じ領域に表示することを特徴とする請求項１又は２に記載の画像形成装置。
【請求項４】
前記開始キー及び中止キーは、画像形成動作が可能な場合には常に表示されていることを特徴とする請求項１から３の何れか一項に記載の画像形成装置。
【請求項５】
前記開始キー及び中止キーは、前記表示部の下側角部近傍の領域に表示されていることを特徴とする請求項１から４の何れか一項に記載の画像形成装置。
【請求項６】
前記開始キー及び中止キーは、前記領域内において常に同じ配置にて表示されることを特徴とする請求項１から５の何れか一項に記載の画像形成装置。
【請求項７】
利用者に対する操作画面を表示するための表示部と、タッチパネルによりタッチ位置を検出する位置検出部と、を有する操作パネルを備えている画像形成装置において実行されるプログラムであって、
利用者からの操作を受け付ける仮想キーを含む操作画面を切り替えて表示する制御を行う操作画面表示制御機能と、
前記操作画面に表示された仮想キーの位置をタッチしたことを前記位置検出部で検出した場合に、当該タッチした位置の仮想キーの操作入力を受け付ける操作入力機能と、
を実現し、
前記操作画面表示制御機能は、仮想キーのうち少なくとも画像形成動作の開始の指示を利用者から受け付ける開始キー及び画像形成動作の中止の指示を利用者から受け付ける中止キーを、前記表示部の同じ領域に表示することを実現するためのプログラム。
【発明の詳細な説明】
【技術分野】
【０００１】
本発明は、利用者に対する操作画面を表示するための表示部と、タッチパネルによりタッチ位置を検出する位置検出部と、を有する操作パネルを備えている画像形成装置等に関する。
【背景技術】
【０００２】
近年、画像形成装置において、原稿画像（入力画像）に対する多彩な編集機能の中から、所望する編集機能を選択して出力物を完成させる画像編集機能を搭載した画像形成装置が知られている。特に、プリンタ機能、コピー機能及びファックス機能などを備えた、いわゆるデジタル複合機においては、原稿画像（入力画像）を画像データとして取り扱うこととなるため、多彩な画像の編集が可能な画像形成装置として実現されている。
【０００３】
このような画像形成装置において、利用者に操作をさせるには、タッチパネル機能を搭載した操作パネルを設けることが知られている（例えば、特許文献１、特許文献２参照）。操作パネルには、利用目的に応じた操作用の表示画面が表示され、利用者は表示画面に基づいて、利用目的に応じた操作をタッチパネル上で行うこととなる。
【０００４】
また、操作パネル（タッチパネル）の大型化に伴い、一部のハードキーを操作パネル上の仮想キーに置き換えた装置も知られている（例えば、特許文献３，特許文献４参照）。ここで、仮想キーとは、表示部（例えば、ＬＣＤ等）に表示されたボタンを利用者がタッチし、そのタッチされた位置を表示部の表面に設けられたタッチパネルにより検出することにより、表示されたボタンの機能を実行するためのソフトウェアで実現されるキーである。これにより、利用者は操作パネルから操作できるといった利点があった。
【先行技術文献】
【特許文献】
【０００５】
【特許文献１】特開２００６−２０１５８５号公報
【特許文献２】特開２００６−２５３９８９号公報
【特許文献３】特開２００９−１７７５２６号公報
【特許文献４】特開２００３−１３１５２８号公報
【発明の概要】
【発明が解決しようとする課題】
【０００６】
ここで、従前の画像形成装置では、操作パネルに表示される仮想キーと、物理的に構成されたハードキーとがそれぞれ独立して設けられているのが一般的であった。とくに、画像形成装置において、スキャンやコピー等といった画像形成動作の開始を操作指示するための「開始キー」や、設定を初期化したり、動作を中止するための中止キー（クリアオール（ＣＡ）キー）等については、利用者の使用頻度が高いため、特にハードキーで実現されることが多かった。
【０００７】
しかし、操作パネルの操作領域と、ハードキーの操作領域は独立した領域となるため、利用者の視認操作領域が広くなってしまい、当該画像形成装置を使い慣れていない利用者にとっては、使い勝手のよいものとは言えなかった。特に、近年は利便性及びコストの低下から操作パネルの大型化が進んでいるため、その傾向は顕著である。
【０００８】
また、上述の特許文献３及び特許文献４のように、頻繁に使われるテンキーやスタートキーについても、操作パネル上の仮想キーで実現させたものがあったが、とりあえず表示させるといったレベルのものであるため、操作画面が切り替わった場合にどの位置に表示されるか利用者は解らず、使い勝手が悪かった。
【０００９】
また、例えば店舗等に設置されている不特定多数向けの画像形成装置（コインを利用したデジタル複合機等）の場合、当該画像形成装置の操作方法について、使い慣れていない利用者が殆どである。このような利用者の場合、操作画面毎にキーの位置が変わってしまうと、使い勝手が極めて悪いといった問題点が生じてしまう。特に、上述した開始キーや中止キーは、利用頻度が高いものであるため、操作画面毎に位置が変わったり、表示されたり、表示されなかったりすることにより、利用者に混乱を生じさせる要因となっていた。
【００１０】
上述した課題に鑑み、本発明が目的とするところは、タッチパネル搭載の表示画面に表示される操作画面が切り替わったとしても、画像形成装置に対して画像形成動作の開始及び中止させる指示を行う仮想キーは常に同じ位置に表示されることにより、使い勝手の良い画像形成装置等を提供することである。
【課題を解決するための手段】
【００１１】
上述した課題に鑑み、本発明の画像形成装置は、利用者に対する操作画面を表示するための表示部と、タッチパネルによりタッチ位置を検出する位置検出部と、を有する操作パネルを備えている画像形成装置において、
利用者からの操作を受け付ける仮想キーを含む操作画面を切り替えて表示する 制御を行う操作画面表示制御部と、
前記操作画面に表示された仮想キーの位置をタッチしたことを前記位置検出部で検出した場合に、当該タッチした位置の仮想キーの操作入力を受け付ける操作入力部と、
を備え、
前記操作画面表示制御部は、仮想キーのうち少なくとも画像形成動作の開始の指示を利用者から受け付ける開始キー及び画像形成動作の中止の指示を利用者から受け付ける中止キーを、前記表示部の同じ領域に表示することを特徴とする。
【００１２】
また、本発明の画像形成装置において、前記操作画面表示制御部は、前記画像形成動作の開始前と、終了後とで異なる操作画面を表示する場合であっても、前記開始キー及び中止キーは、前記表示部の同じ領域に表示することを特徴とする。
【００１３】
また、本発明の画像形成装置は、前記仮想キーに対応する操作が可能であるか不可能であるかを記憶する記憶部を更に有し、
また、本発明の画像形成装置において、前記操作画面表示制御部は、前記開始キー又は中止キーに対応する操作が不可能の場合には、識別表示した状態で前記表示部の同じ領域に表示することを特徴とする。
【００１４】
また、本発明の画像形成装置において、前記開始キー及び中止キーは、画像形成動作が可能な場合には常に表示されていることを特徴とする。
【００１５】
また、本発明の画像形成装置において、前記開始キー及び中止キーは、前記表示部の下側角部近傍の領域に表示されていることを特徴とする。
【００１６】
また、本発明の画像形成装置において、前記開始キー及び中止キーは、前記領域内において常に同じ配置にて表示されることを特徴とする。
【００１７】
本発明のプログラムは、利用者に対する操作画面を表示するための表示部と、タッチパネルによりタッチ位置を検出する位置検出部と、を有する操作パネルを備えている画像形成装置において実行されるプログラムであって、
利用者からの操作を受け付ける仮想キーを含む操作画面を切り替えて表示する制御を行う操作画面表示制御機能と、
前記操作画面に表示された仮想キーの位置をタッチしたことを前記位置検出部で検出した場合に、当該タッチした位置の仮想キーの操作入力を受け付ける操作入力機能と、
を実現し、
前記操作画面表示制御機能は、仮想キーのうち少なくとも画像形成動作の開始の指示を利用者から受け付ける開始キー及び画像形成動作の中止の指示を利用者から受け付ける中止キーを、前記表示部の同じ領域に表示することを実現することを特徴とする。
【発明の効果】
【００１８】
本発明によれば、利用者に対する操作画面を表示するための表示部と、タッチパネルによりタッチ位置を検出する位置検出部と、を有する操作パネルを備えている画像形成装置において、利用者からの操作を受け付ける仮想キーを含む操作画面を切り替えて表示し、操作画面に表示された仮想キーの位置をタッチしたことを検出した場合に、タッチした位置の仮想キーの操作入力を受け付ける。この仮想キーのうち、少なくとも画像形成動作の開始の指示を利用者から受け付ける開始キー及び画像形成動作の中止の指示を利用者から受け付ける中止キーを、表示部の同じ領域に表示することとなる。
【００１９】
したがって、操作画面が切り替わったとしても、開始キー及び中止キーが表示される場合に、常に同じ位置に表示されることとなり、利用者にとって使い勝手の良い画像形成装置等を提供することができる。さらに、どの操作画面であっても、必ず開始キー及び中止キーが表示されていることとなり、利用者が迷うことなく画像形成装置を利用することができる。
【図面の簡単な説明】
【００２０】
【図１】本実施形態におけるデジタル複合機の外観を示す図である。
【図２】本実施形態におけるデジタル複合機の機能構成図である。
【図３】本実施形態におけるタスクトリガ領域のデータ構成の一例である。
【図４】本実施形態における表示画面の説明をするための図である。
【図５】本実施形態におけるタスクトリガ領域の説明をするための図である。
【図６】本実施形態におけるタスクトリガキーの処理について説明をするための図である。
【図７】本実施形態におけるスキャンイン処理（コピー処理）の説明をするための図である。
【図８】本実施形態におけるスキャンイン処理（コピー処理）の説明をするための図である。
【図９】本実施形態における表示画面の状態遷移を説明するための図である。
【図１０】本実施形態における表示画面の第１実施例を説明するための図である。
【図１１】本実施形態における表示画面の第１実施例を説明するための図である。
【図１２】本実施形態における表示画面の第１実施例を説明するための図である。
【図１３】本実施形態における表示画面の第１実施例を説明するための図である。
【図１４】本実施形態における表示画面の第１実施例を説明するための図である。
【図１５】本実施形態における表示画面の第１実施例を説明するための図である。
【図１６】本実施形態における表示画面の第２実施例を説明するための図である。
【図１７】本実施形態における表示画面の第２実施例を説明するための図である。
【図１８】本実施形態における表示画面の第２実施例を説明するための図である。
【図１９】本実施形態における表示画面の第２実施例を説明するための図である。
【図２０】本実施形態における変形例を説明するための図である。
【図２１】本実施形態における変形例を説明するための図である。
【図２２】本実施形態における変形例を説明するための図である。
【発明を実施するための形態】
【００２１】
以下、図面を参照して本発明を実施するための最良の形態について説明する。なお、本実施形態では、一例として、本発明における画像形成装置を、デジタル複合機１に適用した場合について説明する。
【００２２】
［１．全体構成］
まず、デジタル複合機１の全体構成について、図１を用いて説明する。図１は、デジタル複合機１の外観斜視図である。デジタル複合機１は、スキャナ部２から読み取られた原稿を、画像処理部により画像データとして処理する。そして、給紙部４（または手差し給紙部５）から給紙された印刷用紙に、画像を印刷する。そして、印刷用紙は、排紙トレイ６から出力されることとなる。
【００２３】
また、利用者は、デジタル複合機１に対して各種操作指示を行ったり、デジタル複合機１から利用者に対して各種動作を報知したりするために、タッチパネル搭載の操作パネル７が備えられている。操作パネル７は、ＬＣＤ（液晶ディスプレイ）などの表示部の上に、感圧方式や光入射方式等による位置検出部が一体に構成されている装置である。
【００２４】
［２．機能構成］
［２．１  全体構成］
続いて、本実施形態におけるデジタル複合機１の機能構成について、図２を用いて説明する。図２に示すように、デジタル複合機１は、制御部１００に、画像入力部２００と、操作パネル３００と、画像処理部４００と、記憶部５００と、画像出力部６００とが接続されている。
【００２５】
制御部１００は、デジタル複合機１を制御する為の機能部であり、各機能部を制御しており、例えば、ＣＰＵ（中央演算処理装置）等により構成されている。また、制御部１００は、記憶部５００に記憶されている各プログラムを読み出して実行することにより、プログラムに基づいた機能をハードウェアとして実現している。
【００２６】
画像入力部２００は、画像を入力するための機能部であり、外部から入力された画像を画像データに変換して出力する。画像入力部２００の一例としては、例えばＣＣＤ等のスキャナ装置であったり（例えば、図１のスキャナ部２）、通信部（不図示）により外部から画像データが受信されたり、ＵＳＢメモリや、ＳＤカード（登録商標）といった外部記憶装置から読み込まれたりして入力される。なお、入力された画像（画像データ）は、画像処理部４００により画像処理が施されたり、画像出力部６００により印刷用紙や他の装置に出力されたりする。また、画像入力部２００から入力された画像データは、記憶部５００の画像データ記憶領域５１０に記憶されても良い。
【００２７】
操作パネル３００は、利用者がデジタル複合機１に対して操作指示を行ったり、デジタル複合機１から利用者に対して各種報知を行ったりする場合に使われる機能部である。なお、詳細は後述する。
【００２８】
画像処理部４００は、画像データに対して種々の処理を施すための機能部である。例えば、階調を変換したり、シャープフィルタを適用したり、ノイズ除去処理を施したりする。また、画像データに基づいて、プレビュー画像（縮小画像）を生成したりする。
【００２９】
記憶部５００は、デジタル複合機１が実行する場合に必要となるプログラムや、各設定値、データ等を記憶しておくための機能部である。記憶部５００は、例えばＤＲＡＭといった半導体メモリや、ＨＤＤといった磁気ディスク等の記憶装置により構成されている。ここで、記憶部５００は、画像データ記憶領域５１０が確保されており、タスクトリガテーブル５２０と、画像形成条件テーブル５３０とが少なくとも記憶されている。
【００３０】
画像データ記憶領域５１０は、画像入力部２００により入力された画像データが記憶されている領域である。画像データは、例えばＪＰＥＧ等の汎用の画像形式であっても良いし、デジタル複合機１の内部において用いられる独自の画像形式であっても良い。また、入力された画像データと併せて、画像データのプレビュー画像（縮小画像）が併せて記憶されていても良い。
【００３１】
タスクトリガテーブル５２０は、タスクトリガ領域に表示される仮想キーの状態について記憶しているテーブルである。タスクトリガテーブル５２０のデータ構成の一例は図３に示すが、タスクトリガ領域と含めて詳細は後述する。
【００３２】
画像形成条件テーブル５３０は、画像を形成するための条件について記憶しているテーブルである。ここで、記憶される条件としては、従来の画像形成装置（デジタル複合機）において、設定される条件であり、例えば、画像濃度、用紙サイズ、ステープル位置、印刷部数等の種々の条件である。
【００３３】
画像出力部６００は、画像データを出力する為の機能部である。例えば、印刷用紙に出力したり、他の装置にネットワークを介して出力したり、外部記憶装置に出力したりする機能部である。具体的には、レーザプリンタ、ＮＩＣ、ＵＳＢインタフェースといった画像データを出力する機能部により構成されている。
【００３４】
［２．２  操作パネルの構成］
続いて、操作パネル３００の機能構成について、詳細に説明する。操作パネル３００は、操作パネル制御部１０００に、タッチパネル２０００と、位置検出部２５００と、表示部３０００と、表示画像生成部３５００と、操作パネル記憶部４０００とが接続されている。
【００３５】
操作パネル制御部１０００は、操作パネル３００を制御する為の機能部であり、操作パネル３００の各機能部を制御している。また、制御部１００を介して各信号・データを送受信する。
【００３６】
タッチパネル２０００は、表示部３０００の表面に設けられている入力部であり、位置検出部２５００が接続されている。
【００３７】
位置検出部２５００は、利用者がタッチパネル２０００をタッチ（押圧）した位置（タッチ位置）を検出する機能部である。タッチ位置を検出する方式としては、抵抗皮膜方式、静電容量方式、音響波照合方式、光センサ方式等といった位置検出可能な何れかの方式が用いられる。また、検出可能なタッチ位置は１点であっても良いし、複数のタッチ位置を検出できることとしても良い。
【００３８】
また、表示部３０００は、利用者に対して各種表示画面を出力するための機能部である。例えば、利用者が操作入力可能な操作画面、画像を編集することが可能な編集画面、デジタル複合機１における各機能を選択可能なメニュー画面、利用者又は技術者が各種設定を行う設定画面等を表示する。これら表示部３０００に表示する画面を包括して表示画面という。
【００３９】
表示画像生成部３５００は、表示部３０００に表示する画像（表示画面）を生成し、出力する機能部である。また、画像データに基づいて、プレビュー画像（縮小画像）を生成する。このプレビュー画像生成処理については、表示画像生成部３５００で行っても良いし、画像処理部４００で行っても良い。
【００４０】
操作パネル記憶部４０００は、操作パネル３００が動作するのに必要なプログラムや各種データ等を記憶する機能部である。操作パネル記憶部４０００は、例えばＤＲＡＭ等の半導体メモリ等により構成されている。
【００４１】
［３．表示画面領域の説明］
ここで、操作パネルにおいて表示される表示画面（特に操作画面）の領域について、図３から図５を用いて説明する。
【００４２】
まず、操作パネル３００（タッチパネル２０００）に表示される表示画面の領域について図４を用いて説明する。図４は、操作パネル３００に表示される表示画面Ｗ１００（コピー機能を使用する場合に表示される代表的な表示画面）の一例を示す図である。
【００４３】
表示画面Ｗ１００は、主な表示領域として、タスクトリガ領域Ｒ１００と、機能設定領域Ｒ２００と、アクションパネル領域Ｒ３００と、プレビュー領域Ｒ４００とにわかれている。以下、各領域について説明する。
【００４４】
［３．１  タスクトリガ領域］
タスクトリガ領域Ｒ１００は、利用者がデジタル複合機１に対して操作指示する場合にもっとも利用される仮想キーとして、タスクトリガキーが表示される領域である。このタスクトリガキーには、画像形成動作を開始するための開始キーとして実行キーＫ１００、白黒キーＫ１０４及びカラーキーＫ１０６と、画像形成動作を中止したり、設定値を初期化するための中止キーとしてＣＡ（クリアオール）キーＫ１０２とが含まれており、操作パネル３００の所定の位置に表示されている。
【００４５】
ここで、本実施形態における画像形成動作とは、デジタル複合機１における画像形成処理動作全体を意味するものである。即ち、画像（画像データ）を入力し（画像入力部２００）、画像データの画像処理を施し（画像処理部４００）、画像データを記憶し（記憶部５００）、その画像データを出力する（画像出力部６００）といった一連の動作のことをいう。
【００４６】
したがって画像形成動作を開始するとは、例えば画像入力部２００から画像を読み込む動作を開始させたり、画像出力部６００から画像データを印刷用紙に印刷する動作を開始させたりすることをいう。
【００４７】
実行キーＫ１００は、各種機能が割り当てられるキーであり、操作状態に応じて機能及び表示が変更される。この実行キーＫ１００に割り当てられる機能及び表示される内容は、タスクトリガテーブル５２０により定義されている。
【００４８】
ＣＡキーＫ１０２は、画像形成動作を中止したり、画像形成条件を初期状態に戻したりするためのキーである。ＣＡキーＫ１０２がタッチされると、画像形成条件テーブル５３０に記憶されている画像形成条件が、予め設定されている画像形成条件に更新される。
【００４９】
白黒キーＫ１０４及びカラーキーＫ１０６は、デジタル複合機１に対する画像の出力を操作指示するキーである。例えば、白黒キーＫ１０４又はカラーキーＫ１０６がタッチされることにより、入力されていた画像データが画像出力部６００から出力される。これにより、画像形成動作が完了する。
【００５０】
また、実行キーＫ１００をタッチしてない状態で、白黒キーＫ１０４又はカラーキーＫ１０６をタッチしても良い。この場合、画像入力部２００（スキャナ部２）に載置された原稿から画像データを生成する動作を開始し、画像データが画像出力部６００から出力されることにより、画像形成動作が実行される。ここで、白黒キーＫ１０４がタッチされると生成される画像データは白黒（２値の白黒又は階調のモノクロ）の画像が出力され、カラーキーＫ１０６がタッチされると、カラーの画像が出力される。
【００５１】
そして、このタスクトリガ領域Ｒ１００に表示される仮想キーは、原則として表示画面に（特に操作画面の場合は）常に表示されていることとなる。ここで、図５は表示画面を模式的に表した図である。通常表示される内容の上に、タスクトリガ領域Ｒ１００として表示されるレイヤが重畳して表示されているイメージを示す図である。
【００５２】
すなわち、タスクトリガ領域Ｒ１００に表示される仮想キー４つは、表示画面の座標（ｘ１，ｙ１）−（ｘ２，ｙ２）上に原則として表示されることとなる。そして、検出された領域に応じて、各仮想キーがタッチされたと検出される。
【００５３】
具体的には、座標（ｘ１，ｙ１）−（ｘ３，ｙ３）の領域でタッチされたと検出された場合には実行キーＫ１００がタッチされたと検出する。同様に、座標（ｘ３，ｙ１）−（ｘ２，ｙ３）の領域でタッチされたと検出された場合にはＣＡキーＫ１０２が、座標（ｘ１，ｙ３）−（ｘ４、ｙ２）の領域でタッチされたと検出された場合には白黒キーＫ１０４が、座標（ｘ４，ｙ３）−（ｘ２、ｙ２）の領域でタッチされたと検出された場合にはカラーキーＫ１０６がそれぞれタッチされたと検出する。そして、タッチされた仮想キーに応じた動作を行うこととなる。
【００５４】
このように、タスクトリガキー領域は、操作パネル３００（表示画面Ｗ１００）の右下の角部近傍に常に表示されることとなる。これは、利用者が操作する場合に、装置手前側（利用者側）に近い位置に表示されている方が利便性が高いからである。なお、聞き手に応じて、利用者が逆の位置（操作パネル３００（表示画面Ｗ１００）の左下の角部近傍）に表示させることとしても良い。
【００５５】
また、図３はタスクトリガテーブル５２０のデータ構成の一例を示した図である。タスクトリガテーブル５２０は、タスクトリガキーの表示状態を示す「タスクトリガ表示」（例えば、「ＯＮ」）と、実行キーＫ１００の機能を示す「実行キー機能」（例えば、「スキャンイン」）と、実行キーＫ１００に表示される内容を示す「実行キー表示」（例えば、「読込開始」）と、各キーを表示するか否かを示す「キー表示」とを記憶している。
【００５６】
「タスクトリガ表示」は、表示画面（操作パネル）に、タスクトリガ領域の仮想キーを表示するか否かを示すデータである。本実施形態では、表示する状態である「ＯＮ」と、全く表示しない「ＯＦＦ」と、一部だけ表示して隠し表示状態である「Ｈｉｄｄｅｎ」の値を取るものとして説明する。なお、「ＯＦＦ」及び「Ｈｉｄｄｅｎ」については、特定の表示画面のときに取りうる値であり、操作画面の場合はタスクトリガ領域の仮想キーは表示されている。
【００５７】
「実行キー機能」は、実行キーＫ１００をタッチした場合に実行される機能を設定する項目である。一例として「読込開始」「スキャンイン」「追加読込」等の機能を実行する。また、当該機能に対応する文字を、実行キー上に表示する内容を「実行キー表示」として表している。これにより、実行キーは必要に応じて表示が切り替わることとなる。
【００５８】
さらに、実行キーＫ１００には、デジタル複合機１内部においてエラーが発生した場合に、エラー表示を行うことも出来る。例えば、デジタル複合機１内部において紙詰まりが発生している場合に「実行キー機能」として動作を割り当てず、実行キーに「紙詰まりエラー」と表示させることができる。
【００５９】
「キー表示」は、タスクトリガ領域に表示されるタスクトリガキー（「実行キー」、「ＣＡキー」、「白黒キー」、「カラーキー」）を表示するか、グレーアウト（選択不能状態）とするかを設定する項目である。例えば、電源投入直後においては、初期状態であるために、「ＣＡキー」が無効となっている。この場合、ＣＡキーを選択出来ないように、「ＯＦＦ」と設定することにより、「ＣＡキー」はグレーアウトされ、利用者がタッチしても選択されないこととなる。すなわち、例え当該仮想キーが実行出来ない場合であっても、タスクトリガ領域には仮想キー（タスクトリガキー）が必ず表示されることとなるため、利用者は混乱することなく利用出来る。
【００６０】
また、本実施形態におけるタスクトリガ領域に表示される仮想キーは、常に同じ配置で表示されることとなる。これにより、利用者は仮想キーの配置を認識しやすくなり、効率よくデジタル複合機１を操作できることとなる。
【００６１】
［３．２  機能設定領域、アクションパネル領域］
続いて、機能設定領域Ｒ２００及びアクションパネル領域Ｒ３００について説明する。機能設定領域Ｒ２００及びアクションパネル領域Ｒ３００は各種機能、設定項目等が表示されている領域である。利用者は、当該領域の項目をタッチすることにより、デジタル複合機１の動作（画像形成条件等）を設定する。そして、設定された画像形成条件が、画像形成条件テーブル５３０に記憶される。
【００６２】
例えば、表示画面Ｗ１００における機能設定領域Ｒ２００は、コピー出力する部数を設定する項目、カラーモードを設定する項目、コピー濃度を設定する項目、倍率を設定する項目、原稿の大きさを設定する項目、印刷用紙の大きさを設定する項目、特殊機能としての両面コピーの方法を設定する項目及び仕上げ機能としてステープル（パンチ）を設定する項目が表示されている。利用者により、各項目がタッチされることにより、画像形成条件の設定を変更することが出来る。
【００６３】
また、アクションパネル領域Ｒ３００には、デジタル複合機１の動作について指示が出せる項目が表示されており、倍率の自動選択機能、ジョブプログラムの実行機能、ファイリング機能、画像データを同時に送信する送信機能、セッションの挿入・削除する機能等が表示されている。利用者により、各機能がタッチされることにより、タッチされた内容に基づいて機能が実行される。
【００６４】
また、機能設定領域Ｒ２００及びアクションパネル領域Ｒ３００については、最小化表示を行うことができる。即ち、機能設定領域Ｒ２００については、表示画面Ｗ１００の左側に寄せる表示を行い、アクションパネル領域Ｒ３００においては、表示画面Ｗ１００の右側に寄せる表示を行う。これにより、後述するプレビュー領域Ｒ４００の領域を拡張することが可能となる。
【００６５】
なお、機能設定領域Ｒ２００及びアクションパネル領域Ｒ３００の最小化方法は種々の方法が考えられるが、プレビュー領域Ｒ４００の領域が拡張される方法であれば良い。例えば、機能設定領域Ｒ２００（アクションパネル領域Ｒ３００）を非表示とし、操作パネルがタッチされると、プレビュー領域Ｒ４００上に表示されるような方法であっても良い。
【００６６】
［３．３  プレビュー領域］
続いて、プレビュー領域Ｒ４００について説明する。プレビュー領域は、画像データのプレビュー画像を表示したり、装置全体の状態を模式的に表すミミック表示Ｋ３１０を表示したりする領域である。
【００６７】
さらに、プレビュー領域には仮想テンキーＫ３００が表示されている。この仮想テンキーＫ３００を利用することにより利用者は数値入力が可能であり、例えば部数を入力することができる。また、テンキーを使用しない場合には、プレビュー領域に最小化状態（例えば、仮想テンキーを示すアイコンや文字、記号等）として表示することとする。
【００６８】
ミミック表示Ｋ３１０は、上述したようにデジタル複合機１の装置全体の状態を模式的に表示する。ミミック表示Ｋ３１０により、例えば各給紙トレイ６に収容されている印刷用紙の大きさや量を利用者に報知することができる。
【００６９】
さらに、手差し原稿の大きさや、排紙トレイの出力箇所についても、利用者に対して報知することができる。また、用紙詰まり等の種々のトラブルの場合に、利用者にトラブル箇所を報知することが可能である。なお、このミミック表示Ｋ３１０は、後述するプレビュー表示が行われた場合には、表示画面には表示されないこととなる。
【００７０】
［４．処理の流れ］
続いて、本実施形態におけるデジタル複合機１の処理の流れについて説明する。ここで、タスクトリガキー表示処理は、デジタル複合機１が動作中に常に実行される割り込み処理の一例である。
【００７１】
［４．１  タスクトリガキー表示処理］
まず、タスクトリガキーが表示される処理の流れについて、図６を用いて説明する。まず、制御部１００は、タスクトリガテーブル５２０から、「タスクトリガ表示」を読み出し、「タスクトリガ表示」が「ＯＮ」となっているか否かを判定する（ステップＳ１００）。
【００７２】
「タスクトリガ表示」が「ＯＮ」の場合（ステップＳ１００；Ｙｅｓ）、表示部３０００の定められたタスクトリガ領域（図５の座標（ｘ１，ｙ１）−（ｘ２，ｙ２）で指定された位置）にタスクトリガキーを表示する。ここで、タスクトリガ領域として設定される領域は予め設定されているものとする。
【００７３】
続いて、タスクトリガテーブル５２０から各タスクトリガキーの「キー表示」状態を読み出し、「キー表示」が「ＯＦＦ」となっている仮想キーはグレーアウト表示をする（ステップＳ１０４）。すなわち、グレーアウト表示をされている仮想キーの領域は、仮想キーの機能が無効となっている。
【００７４】
つづいて、タスクトリガテーブル５２０から「実行キー表示」を読み出し、実行キーの領域に表示更新する（ステップＳ１０６）。これにより、利用者に対し、実行キーＫ１００がタッチされた場合に、どのような機能が実行されるかを報知することができる。また、実行キーＫ１００には、装置の状態（例えばエラー状態や動作状態）を表示させることができる。これにより、利用者は実行キーＫ１００を見ることによりデジタル複合機１の状態を認識することが可能となる。
【００７５】
つづいて、利用者からタスクトリガ領域がタッチされたか否かを検出する（ステップＳ１０８）。ここで、タスクトリガ領域のタッチが検出されなかった場合には、ステップＳ１００から処理を繰り返し実行する（ステップＳ１０８；Ｎｏ→ステップＳ１００）。
【００７６】
位置検出部２５００により検出されたタッチ位置が、タスクトリガ領域であった場合（ステップＳ１０８；Ｙｅｓ）、検出されたタッチ位置から利用者にタッチされた仮想キー種別を判定する（ステップＳ１１０）。
【００７７】
ここで、タッチされたキーについて、「キー表示」が「ＯＮ」であるか否かを判定する（ステップＳ１１２）。もし、「キー表示」が「ＯＦＦ」の場合は、タッチされた仮想キーは無効である（現在選択出来ない）ため、とくに動作は開始せずにステップＳ１００から繰り返し処理を実行する（ステップＳ１１２；Ｎｏ→ステップＳ１００）。
【００７８】
また、「キー表示」が「ＯＮ」の場合、タッチされたキーが実行キーか否かを判定する（ステップＳ１１４）。すなわち、実行キーＫ１００がタッチされた場合には、現在実行キーに割り当てられている機能をタスクトリガテーブル５２０から読み出す（ステップＳ１４；Ｙｅｓ→ステップＳ１１６）。
【００７９】
そして、実行キーＫ１００以外のキーがタッチされ（ステップＳ１１４；Ｎｏ）又は実行キーＫ１００がタッチされて実行キーＫ１００の機能が読み出された後に、タッチされたキーの機能が実行される（ステップＳ１１８）。
【００８０】
他方、ステップＳ１００において、タスクトリガテーブル５２０に記憶されているタスクトリガ表示の状態が「ＯＦＦ」の場合には（ステップＳ１００；Ｎｏ→ステップＳ１２０；Ｙｅｓ）、タスクトリガキーを非表示とする（ステップＳ１２２）。また、タスクトリガ表示の状態が「ＯＦＦ」でも無い（すなわち「Ｈｉｄｄｅｎ」）場合、タスクトリガキーは隠し表示されることとなる（ステップＳ１２４）。そして、ステップＳ１００から処理が繰り返し実行される。
【００８１】
このように、上述した処理によれば、タスクトリガ表示が「ＯＮ」の場合、表示画面の所定の位置にタスクトリガキーが常時表示されていることとなる。これは、図５において、表示画面Ｗ１１０の状態が変わった場合であっても、その上に表示される表示画面Ｗ１２０（すなわちタスクトリガキーが表示されているレイヤ）は、常に表示されることとなる。これにより、タスクトリガキーは、同じ位置に必ず表示されることとなる。
【００８２】
［４．２  画像形成処理］
続いて、デジタル複合機１が画像を形成する場合の画像形成動作の処理について、図７及び図８のフローチャートを利用して説明する。
【００８３】
この画像形成処理は、例えば、デジタル複合機１において、機能選択画面（メニュー画面）から、スキャン機能（コピー機能）が選択された場合に実行される処理である。なお、メニュー画面においては、タスクトリガキーは通常不要であるため、表示されていないこととして説明する。
【００８４】
すると、まず、キー表示が「ＯＮ」に設定される（ステップＳ２００）。ここで、図６の処理により、操作パネル３００の所定の位置（タスクトリガ領域）にタスクトリガキーが、表示されることとなる。
【００８５】
続いて、初期画面が表示され（ステップＳ２０２）、初期画面に表示されている項目等に基づいて、画像形成条件設定がなされる（ステップＳ２０４）。画像形成条件設定の一例としては、例えば片面コピー／両面コピーの設定であったり、用紙サイズの設定であったり、２ｉｎ１といった割り付け設定であったり、ステープルの位置とった仕上げ設定であったり、デジタル複合機１で利用される種々の設定である。
【００８６】
そして、実行キーＫ１００（ここでは読込開始機能が設定されている）がタッチされたか否かを判定する（ステップＳ２０６）。ここで、実行キーがタッチされていない場合には、白黒キーＫ１０４又はカラーキーＫ１０６(以下、白黒キー、カラーキーＫ１０６を併せて出力キーという）がタッチされた否かを判定する（ステップＳ２０６；Ｎｏ→ステップＳ２２０）。
【００８７】
出力キーがタッチされた場合に（ステップＳ２２０；Ｙｅｓ）、原稿を読み込み（ステップＳ２２２）、画像処理を実行する（ステップＳ２２４）。そして、画像出力処理を実行し（ステップＳ２２６）、後処理を実行して終了する（ステップＳ２２８）。
【００８８】
ここで、画像出力処理とは、ステップＳ２２２により読み込まれた画像を出力する処理であり、例えば印刷用紙に画像を形成して出力する場合や、記憶部５００の画像データ記憶領域に画像を記憶する場合、通信部（不図示）を介して外部に画像データを送信する場合といった種々の動作が考えられる。
【００８９】
また、後処理についても、画像を出力した後に実行される処理であり、例えばステープル処理を実行したり、製本処理を実行したりする。
【００９０】
また、ＣＡキーＫ１０２がタッチされた場合には（ステップＳ２０６；Ｎｏ→ステップＳ２２０；Ｎｏ→ステップＳ２４０）、ステップＳ２０４において設定されている画像形成条件を初期化し、初期画面表示に戻る（ステップＳ２４０；Ｙｅｓ→ステップＳ２４２→ステップＳ２０２）。他方、タスクトリガキーのいずれのキーもタッチされていない場合には、ステップＳ２０２から処理を繰り返し実行する（ステップＳ２４０；Ｎｏ→ステップＳ２０２）。
【００９１】
ステップＳ２０６において、実行キーＫ１００がタッチされている場合は（ステップＳ２０６；Ｙｅｓ）、原稿を読み込む（ステップＳ２０８）。
【００９２】
そして、仮想テンキーを最小化（本実施形態ではアイコン化）し（ステップＳ２１０）、プレビュー領域を拡大したのちに、プレビュー画像表示を行う（ステップＳ２１２）。ここで、画像形成条件設定がある場合には（図８のステップＳ２５０）、プレビュー画像に画像形成条件設定のうち、反映できる条件は反映し、ステップＳ２５０に処理を戻す（ステップＳ２５０；Ｙｅｓ→ステップＳ２５２）。
【００９３】
また、仮想テンキーのアイコンがタッチされると（ステップＳ２５０；Ｎｏ→ステップＳ２５４；Ｙｅｓ）、プレビュー画像に仮想テンキーを重ねて表示する（ステップＳ２５６）。この仮想テンキーが表示されている状態では、仮想テンキーのボタンがタッチされると、当該タッチされたキーに応じて数値（例えば、部数）が入力されることとなる。
【００９４】
つづいて、プレビュー画像がタッチされると（ステップＳ２５４；Ｎｏ→ステップＳ２５８；Ｙｅｓ）、仮想テンキーが最小化状態（アイコン化）表示される（ステップＳ２６０）。具体的には、仮想テンキーが表示されている状態で、仮想テンキーの下に表示されているプレビュー画像がタッチされることにより、仮想テンキーがアイコン化されることとなる。なお、仮想テンキーが表示されていない状態では、特に動作を行わないこととする。
【００９５】
また、ＣＡキーがタッチされると（ステップＳ２５８；Ｎｏ→ステップＳ２６２；Ｙｅｓ）、設定されていた画像形成条件が初期化されることとなる（ステップＳ２６４）。ここで、ステップＳ２６４において、画像形成条件のみがクリアされることとして説明するが、例えば読み込まれた画像データが総て削除される（即ち初期状態に戻る（ステップＳ２６４→ステップＳ２０２））こととしても良い。
【００９６】
また、出力キーがタッチされると（ステップＳ２６２；Ｎｏ→ステップＳ２６６；Ｙｅｓ）、画像処理（ステップＳ２６８）、画像出力処理（ステップＳ２７０）、後処理（ステップＳ２７２）が実行されることとなる。
【００９７】
なお、図８の処理で、出力キーがタッチされない場合には（ステップＳ２６６；Ｎｏ）、ステップＳ２５０から処理を繰り返し実行することとしたが、例えば更に実行キーがタッチされたか否かを判定してもよい。実行キーがタッチされると、画像入力を更に行う追加読み込み機能を実現することが可能となる。
【００９８】
このように、上述した処理において、ステップＳ２００において「キー表示」を「ＯＮ」としたことにより、操作パネル３００の表示画面（操作画面）には、常時同じ位置にタスクトリガキーが表示されることとなる。これにより、利用者はどのような表示画面であっても、迷うことなく代表的な動作（タスクトリガキーとして表示されるような動作）を、デジタル複合機１で操作することができる。
【００９９】
さらに、操作パネル３００に表示されている、すなわち利用者の作業領域近傍にタスクトリガキーが常時表示されることとなる。これにより、視認性が極めて良好となり、利用者にとって使い勝手の良いＵＩ（ユーザインタフェース）を提供することができる。
【０１００】
［５．実施例］
続いて、デジタル複合機１において、操作パネル３００（表示部３０００）において表示される表示画面を用いて、実施例を説明する。なお、各図面において、同一の構成要素には同一の符号を付し、その詳細な説明を省略する。
【０１０１】
［５．１  第１実施例］
まず、図９〜図１５を用いて、デジタル複合機１においてコピー機能（スキャンイン機能）が実現された場合における動作例について説明する。ここで、図９は第１実施例における状態遷移図であり、図１０〜１５は画面例である。
【０１０２】
（１）メニュー表示（Ｓ１０００；図１０）
まず、デジタル複合機１が動作可能状態になると、表示部３０００にメニュー表示（メニュー画面）が表示される。メニュー表示は、コピー機能、ＦＡＸ機能、メンテナンス機能といった各種機能を選択可能な表示画面の状態である。
【０１０３】
ここで、利用者により例えば領域Ｒ１０００がタッチされることにより、コピー機能（スキャンイン機能）が実行される。この場合、表示部３０００に表示される表示画面は待機表示＋仮想テンキーの表示状態に移行する（図９のＦ１１００）。
【０１０４】
（２）待機表示＋仮想テンキー表示（Ｓ２０００；図１１）
図１１は、コピー機能（スキャンイン機能）を選択した場合における表示画面Ｗ２０００（操作画面）の一例を示している。図４で説明したが、表示画面Ｗ２０００は、主な表示領域として、タスクトリガ領域Ｒ１００と、機能設定領域Ｒ２００と、アクションパネル領域Ｒ３００と、プレビュー領域Ｒ４００とに別れている。
【０１０５】
更にタスクトリガ領域Ｒ１００には、仮想キーで示されたタスクトリガキーが表示されており、表示画面Ｗ２０００には、一例として実行キーＫ１００（ここでは読込開始キー）と、ＣＡキーＫ１０２と、出力キーとして白黒キーＫ１０４及びカラーキーＫ１０６とが表示されている。また、ＣＡキーＫ１０２は、起動直後であり（すなわち、画像形成条件が初期値である状態）、グレーアウトして選択できない状態として表示されている。
【０１０６】
また、プレビュー領域Ｒ４００には、仮想テンキーＫ３００と、ミミック表示Ｋ３１０が併せて表示されている。例えば、利用者が仮想テンキーＫ３００をタッチすると、タッチされた仮想テンキーの数字キーに対応する値が、部数に入力される。また、ミミック表示Ｋ３１０は、デジタル複合機１の状態を示している図であり、当該ミミック表示Ｋ３１０により、利用者は装置の状況を把握することができる。
【０１０７】
ここで、閉じるキーＫ３０２（仮想テンキー収納ボタン）をタッチすることにより、仮想テンキーが最小化状態となる（例えば、本実施形態ではアイコン表示となる）。このとき、操作パネル３００に表示される表示画面から、仮想テンキーの表示が消去され、待機表示（Ｓ３０００）に状態が遷移する（図９のＦ２２００）。
【０１０８】
（３）待機表示（Ｓ３０００；図１２）
続いて待機表示について説明する。Ｓ３０００において表示されている待機表示の一例は図１２である。図１２に示すように、仮想アイコンが最小化状態（本実施形態ではアイコン表示Ｋ３０４）にて表示されている。また、プレビュー領域Ｒ４００には、アイコン表示Ｋ３０４と共に、ミミック表示Ｋ３１０も表示されている。
【０１０９】
また、この段階でアイコン表示Ｋ３０４がタッチされると、再び図１１の表示画面Ｗ２０００（Ｓ２０００）の状態に遷移する（Ｆ３１００）。このように、仮想テンキーＫ３００と、アイコン表示Ｋ３０４は交互に表示することができる。これにより、利用者が仮想テンキーを必要としない場合には、仮想テンキーＫ３００が最小化状態にて表示されることとなる。
【０１１０】
さらに、表示画面Ｗ２０００及び表示画面Ｗ３０００であっても、タスクトリガ領域Ｒ１００には、常にタスクトリガキーが表示されていることなる。
【０１１１】
（４）スキャンイン処理（Ｓ４０００；図１３）
Ｓ２０００及びＳ３０００の状態のときに、利用者により実行キーＫ１００（ここでは読込開始キーとして動作）がタッチされると（Ｆ２１００、Ｆ３２００）、スキャンイン処理（Ｓ４０００）が実行される。
【０１１２】
スキャンイン処理が実行中の表示画面Ｗ４０００の一例を、図１３に示す。図１３に示すように、アクションパネル領域が非表示となり、プレビュー領域Ｒ４１０が従前の表示画面と比較して拡大されている。すなわち、Ｓ２０００及びＳ３０００の場合と比較して、表示領域が拡大していることから、より多くの情報をプレビュー領域Ｒ４１０に表示することが可能である。
【０１１３】
ここで、スキャンイン処理の表示画面Ｗ４０００について概略を説明すると、画像入力部２００から画像データが入力される。そして、画像データに基づいて、表示画像生成部３５００により縮小画像（プレビュー画像）が生成され、プレビュー画像Ｋ４１０として表示される。
【０１１４】
このプレビュー画像Ｋ４１０は、画像入力部２００から読み取られていることを利用者に報知するために、プレビュー領域Ｒ４１０の右側から左側に移動表示されることとなる。すなわち、プレビュー画像Ｋ４３０の領域まで移動表示される。
【０１１５】
このとき、スキャンラインＫ４２０を通過するように表示制御することにより、スキャンラインＫ４２０を通過している画像（原稿）が、随時読み込まれているといった表示効果を利用者に提供することとなる。
【０１１６】
このようなスキャンイン処理が実行中の表示画面Ｗ４０００においても、表示画面Ｗ４０００の所定位置に、タスクトリガ領域Ｒ１００に、タスクトリガキーが重畳して表示されることとなる。ここで、実行キーＫ１００は、読込中止キーとして機能する。
【０１１７】
具体的には、利用者により実行キーＫ１００がタッチされると、現在のスキャンイン処理が中止されることとなる。このように、表示画面（操作画面）の表示内容に変化があったとしても、常にタスクトリガ領域Ｒ１００にタスクトリガキーが表示されていることから、利用者は迷わず操作をすることが可能となる。
【０１１８】
（５）プレビュー表示（Ｓ５０００；図１４）
続いて、スキャンに処理が終了した場合に表示されるプレビュー表示について説明する。スキャンイン処理が終了すると（Ｆ４１００）、プレビュー領域Ｒ４００に、プレビュー画像Ｋ５００が表示される。これにより、スキャンイン処理が完了したことが利用者は確認することができる。
【０１１９】
また、表示画面Ｗ５０００においては、実行キーＫ１００は追加読込キーとして機能することとなる。即ち、実行キーＫ１００がタッチされると、読み込まれた画像データに、更に画像データを追加することができる。
【０１２０】
（６）プレビュー表示＋仮想テンキー表示（Ｓ６０００；図１５）
ここで、アイコン表示Ｋ３０４がタッチされると（Ｆ５１００）、プレビュー領域Ｒ４００に、仮想テンキーＫ３００が表示される。この場合の表示画面Ｗ６０００の一例を図１５に示す。
【０１２１】
図１５に示すように、プレビュー画像Ｋ５００の上に仮想テンキーＫ３００が表示されている。ここで、利用者が仮想テンキーＫ３００をタッチすることにより、数値入力を行うことができる。
【０１２２】
更に、閉じるキーＫ３０２（仮想テンキー収納ボタン）がタッチされることにより、仮想テンキーが消え、アイコン表示Ｋ３０４が表示される。すなわち、プレビュー表示（Ｓ５０００）の状態に再び遷移する（図９のＦ６１００）。
【０１２３】
（７）画像出力処理（Ｓ７０００）
プレビュー表示（Ｓ５０００）の状態又はプレビュー表示＋仮想テンキー表示の状態（Ｓ６０００）の状態から、出力キー（白黒キーＫ１０４又はカラーキーＫ１０６）がタッチされると、画像出力処理が実行される（Ｓ７０００）。画像出力処理とは、例えばコピー機能であれば、スキャンイン機能で読み込まれた画像データが、印刷用紙に印刷されることとなる。
【０１２４】
また、印刷用紙に出力されるだけでなく、例えば記憶部に出力（記憶）されることとしても良いし、通信部を介して他の装置に出力（送信）されることとしても良い。
【０１２５】
そして、画像出力処理が終わった後は、再び待機表示＋仮想テンキーの表示画面Ｗ２０００（Ｓ２０００；図１１）に遷移しても良いし（Ｆ７１００）、再びプレビュー表示の表示画面Ｗ５０００（Ｓ５０００；図１４）に遷移しても良い（Ｆ７２００）。
【０１２６】
このように、第１実施例によれば、デジタル複合機１の動作モードの一例であるコピー機能が選択されると、表示画面として操作画面が表示される。そして、表示画面（操作画面）に表示される内容を動作に応じて遷移させることとなるが、どのような画面であっても、タスクトリガ領域には、タスクトリガキーが表示されることとなる。
【０１２７】
特に、タスクトリガキーは、デジタル複合機１において、画像形成装置特有の操作キーであり、当該キーが機能を利用している間、同じ位置に常に表示されていることにより、利用者にとって使い勝手の良いＵＩ（ユーザインタフェース）を提供することが可能となる。
【０１２８】
特に、例えばコンビニエンスストア等の不特定多数の者が利用するデジタル複合機の場合、利用者が必ずしも当該装置の操作方法に慣れているとは限らない。このような場合、基本的な機能を実行可能なキーが常に表示されているということは、利用者にとって極めて使い勝手の良いデジタル複合機を提供することが出来る。
【０１２９】
［５．２  第２実施例］
続いて、第２実施例について説明する。第２実施例は、読み込まれた画像データを種々のプレビュー表示にて表示させたり、編集させたりする場合について説明する。
【０１３０】
まず、本実施例においては、プレビュー画像の表示方法としては、１枚表示モード（図１６）と、見開き表示モード（図１７）と、一覧表示モード（図１８）とを備えている。
【０１３１】
図１６の表示画面Ｗ７０００は、１枚表示モードの操作画面の一例を示している。プレビュー領域Ｒ４００に、プレビュー画像Ｇ１００が表示されている。また、プレビュー領域Ｒ４００には、各モードに移行する仮想キーが表示されており、仮想キーＫ６００をタッチすると１枚表示モードに、仮想キーＫ６１０をタッチすると見開き表示モードに、仮想キーＫ６２０をタッチすると一覧表示モードにそれぞれ遷移する。
【０１３２】
また、仮想キーＫ６３０は編集モードに移行する仮想キーである。編集モードは、プレビュー画像を利用して、各種画像データの編集が行える機能である。
【０１３３】
図１７の表示画面Ｗ７１００は、見開き表示モードの一例を示している。見開き表示モードでは、より大きなプレビュー領域Ｒ４２０を確保するために、機能設定領域Ｒ２１０をアイコン表示（縮小表示）としている。見開き表示モードでは、プレビュー領域Ｒ４２０において、プレビュー画像がめくるように表示させることが可能である。これにより、利用者はより出力状態に近い状態で画像を確認することができる。
【０１３４】
また、図１８の表示画面Ｗ７２００は、一覧表示モードの一例を示している。一覧表示モードにおいても、より大きなプレビュー領域Ｒ４２０を確保するために、機能設定領域Ｒ２１０をアイコン表示（縮小表示）としている。一覧表示モードでは、プレビュー領域Ｒ４２０において、プレビュー画像が一覧に複数表示されている。これにより、利用者は全体を容易に把握することができる。
【０１３５】
ここで、各表示モードにおいて、タスクトリガ領域Ｒ１００が確保されている。そして、タスクトリガ領域Ｒ１００には、タスクトリガキーが常に表示されることとなる。これにより、どのような表示モードであっても、利用者は基本的な操作をデジタル複合機１においてできることとなる。
【０１３６】
図１９の表示画面Ｗ７３００は、編集モードの一例を示している編集画面である。編集モードでは、編集画面となるプレビュー領域Ｒ４３０を最大領域を確保するために、アクションパネル領域Ｒ３１０が隠し表示されている。すなわち、アクションパネル領域Ｒ３１０をタッチすることにより、アクションパネルがプレビュー領域Ｒ４３０上に表示されることとなるが、標準では最小表示されている。
【０１３７】
さらに、タスクトリガ領域Ｒ１１０についても、隠し表示の状態（即ち、タスクトリガテーブル５２０において、タスクトリガ表示が「Ｈｉｄｄｅｎ」）となっている。利用者によりタスクトリガ領域Ｒ１１０がタッチされると、プレビュー領域Ｒ４３０上にタスクトリガキーが表示されることとなる。これは、編集画面においては、利用者がタスクトリガキーを利用することが極めて少ないことから、隠し表示とすることによりプレビュー領域Ｒ４３０を優先的に確保している。
【０１３８】
このように、本実施例によれば、表示モード等が切り替わったとしても、常にタスクトリガキーを同じ位置に表示させることが可能となり、利用者にとって使い勝手のよいＵＩを搭載したデジタル複合機を提供することが出来る。
【０１３９】
さらに、例外的にタスクトリガキーを非表示（隠し表示）とする表示画面（編集画面）を利用することにより、作業領域（プレビュー領域）を広げることができる。これは、タスクトリガキーを、ソフトウェアによる仮想キーにおいて表示することにより、初めて実現可能となる。
【０１４０】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１４１】
なお、上述した操作パネル３００の表示部３０００（表示画面）に表示される表示項目は、タスクトリガ領域にタスクトリガキーが固定位置に原則表示されていることを説明するための例であり、表示される項目、位置等に限定されることはないことは勿論である。
【０１４２】
また、上述した実施形態における実行キーＫ１００においては、種々のメッセージを表示することができる。例えば、図２０においては実行キーＫ１００にはエラー通知として「用紙詰まり」と表示されている。これにより、利用者はデジタル複合機１の状態を把握することができる。
【０１４３】
また、図２１においては実行キーＫ１００には現在スキャンイン機能により読み取られている原稿の枚数が表示されている。これにより、利用者はデジタル複合機１の動作状態を容易に把握することができる。
【０１４４】
また、上述した実施形態においては、タスクトリガキーは４つあることとして説明したが、動作によって数が変化しても良いのは勿論である。例えば、図２２に示すように、出力キーは、白黒キーとカラーキーとが統合されて出力キーＫ１１０となっている。このように必要に応じて、タスクトリガキーの表示態様を変更しても良いことは勿論である。なお、この場合であっても、各種状態を初期化するＣＡキーＫ１０２等は常に同じ箇所に表示されていた方が好ましい。
【０１４５】
上述したことが実現できるのは、ソフトウェアにおいて仮想キーとして実現しているからであり、仮想キーとしての利点を活かしつつ、ハードウェアキーと同じ使い勝手を実現することが可能となる。
【符号の説明】
【０１４６】
１  デジタル複合機
１００  制御部
２００  画像入力部
３００  操作パネル
１０００  操作パネル制御部
２０００  タッチパネル
２５００  位置検出部
３０００  表示部
３５００  表示画像生成部
４０００  操作パネル記憶部
４００  画像処理部
５００  記憶部
５１０  画像データ記憶領域
５２０  タスクトリガテーブル
６００  画像出力部
【図１】
2012042828.tif 000003
【図２】
2012042828.tif 000004
【図３】
2012042828.tif 000005
【図４】
2012042828.tif 000006
【図６】
2012042828.tif 000007
【図７】
2012042828.tif 000008
【図８】
2012042828.tif 000009
【図９】
2012042828.tif 000010
【図１１】
2012042828.tif 000011
【図１２】
2012042828.tif 000012
【図１３】
2012042828.tif 000013
【図１４】
2012042828.tif 000014
【図１５】
2012042828.tif 000015
【図１６】
2012042828.tif 000016
【図１８】
2012042828.tif 000017
【図２０】
2012042828.tif 000018
【図２１】
2012042828.tif 000019
【図２２】
2012042828.tif 000020
【図５】
2012042828.tif 000021
【図１０】
2012042828.tif 000022
【図１７】
2012042828.tif 000023
【図１９】
2012042828.tif 000024